(57)【要約】本発明は、スタンド脚であって、ベース区分（１，２）、及び少なくとも１つの成形体（４）を有しかつベース区分に固定された支柱（３０）を備えており、支柱の上方の端部区分にヘッドユニット（７）が、水平の旋回軸（２４）を中心として傾動可能でかつ所望の傾斜位置で締め付け固定可能な旋回エレメント（２３）を用いて取り付けられており、旋回エレメントが旋回エレメントの上側に受容部エレメント（９）を支持している形式のものに関する。簡単な操作並びに安定的な傾斜位置を達成するために、本発明の構成では、ヘッドユニット（７）が、成形体（４）の長手方向へ延びる中空部内に突入していてかつ該成形体の上方の端部区分に対して位置不動に取り付けられたピン（２１）を有しており、ピン内に旋回エレメント（２３）が支承されている。
2006509174.tif 000002
【特許請求の範囲】
【請求項１】
スタンド脚であって、ベース区分（１，２）、及び少なくとも１つの成形体（４）を有しかつベース区分に固定された支柱（３０）を備えており、支柱の上方の端部区分にヘッドユニット（７）が、水平の旋回軸（２４）を中心として傾動可能でかつ所望の傾斜位置で締め付け固定可能な旋回エレメント（２３）を用いて取り付けられており、旋回エレメントが旋回エレメントの上側に受容部エレメント（９）を支持している形式のものにおいて、
ヘッドユニット（７）が、成形体（４）の長手方向へ延びる中空部内に突入していてかつ該成形体の上方の端部区分に対して位置不動に取り付けられたピン（２１）を有しており、ピン内に旋回エレメント（２３）が支承されていることを特徴とするスタンド脚。
【請求項２】
ピン（２１）が、上方に向かって開いた垂直なスリット（２６）を備えており、スリット内に、平面平行なプレートとして形成された旋回エレメント（２３）が挿入されており、旋回エレメント（２３）の厚さがスリット（２６）の内法幅に適合されており、旋回軸（２４）がスリット（２６）の領域でピン（２１）並びに旋回エレメント（２３）をピン及び旋回エレメントに対して垂直に貫通しており、かつ旋回エレメント（２３）がピン（２１）の上方の端面を越えて突出している請求項１記載のスタンド脚。
【請求項３】
旋回軸（２４）に対して平行にピン（２１）に、挿入された旋回エレメント（２３）の領域でスリット（２６）内へ開口するクランプ孔（２５）を設けてあり、成形体（４）が該成形体に対して直角方向に、手動作動可能なクランプレバー（８）のねじ付きのクランプピン（８．１）によって貫通されており、クランプピンが成形体に設けられたねじ部若しくは別個のねじ片（８．２）内にねじ込まれていて、受容部エレメント（９）の所望の傾斜の固定のためにクランプピンの端面で以て旋回エレメント（２３）に対して締め付けられるようになっている請求項２記載のスタンド脚。
【請求項４】
ピン（２１）の上方の端面若しくは端部区分の側面にフランジ状若しくはリング状の固定片（２２）を取り付けてあり、固定片（２２）がピン（２１）の側面からつば状に突出しており、固定片（２２）を用いてピン（２１）が成形体（４）の上方の端面に固定されている請求項１から３のいずれか１項記載のスタンド脚。
【請求項５】
固定片（２２）が成形体（４）に溶接結合若しくはねじ結合されており、この場合に成形体（４）の中空部内へのねじ結合のために成形体の長手方向へ延びるねじ溝（４．３）を設けてある請求項４記載のスタンド脚。
【請求項６】
ねじ片（８．２）が、成形体（４）の中空部に設けられた長手方向へ延びる受容溝（４．５）内にはめ込まれている請求項３から５のいずれか１項記載のスタンド脚。
【請求項７】
支柱（３０）が、ベース区分（１，２）に取り付けられた外側成形体（３）及び該外側成形体内にテレスコープ式にスライド可能に支承されて種々の位置で固定可能な内側成形体（４）から構成されており、前記成形体が内側成形体（４）によって形成されている請求項１から６のいずれか１項記載のスタンド脚。
【請求項８】
外側成形体（３）の内周輪郭が横断面で区分毎に、横断面の互いに異なる内側成形体（４）の外周輪郭に適合されており、これによって内側成形体（４）が傾倒しないように、周方向で互いに離間する少なくとも３つの外周輪郭区分（４．１，４．２）で以て長手方向で平面的に、外側成形体の周方向で互いに離間する少なくとも３つの内周輪郭区分（３．１，３．２）に支えられている請求項７記載のスタンド脚。
【発明の詳細な説明】
【技術分野】
【０００１】
本発明は、スタンド脚であって、ベース区分及び、少なくとも１つの成形体を有しかつベース区分に固定された支柱を備えており、支柱の上方の端部区分にヘッドユニットが、水平の旋回軸を中心として傾動可能でかつ所望の傾倒位置で締め付け固定可能な旋回エレメントを用いて取り付けられており、旋回エレメントが旋回エレメントの上側に受容部エレメントを支持している形式のものに関する。
【０００２】
対象物を保持するための支えの形のスタンド脚は、ヨーロッパ特許公開第０５５５６８５Ａ１号明細書により公知である。該公知のスタンド脚においては、細い支柱の上方の部分にヘッドユニットが旋回軸を中心として傾倒可能に取り付けられており、支柱の上方の端部区分は煩雑な構造の取り付け区分を被せはめられている。
【０００３】
本発明の課題は、冒頭に述べた形式のスタンド脚を改善して、ヘッドユニットを支柱に簡単かつ安定的に組み付けできるようにすることである。
【０００４】
前記課題が本発明の請求項１に記載の構成によって解決される。本発明の構成では、ヘッドユニットが、成形体の長手方向（縦方向）へ延びる中空部内に突入していてかつ該成形体の上方の端部区分に対して位置不動、即ち固定的に取り付けられたピンを有しており、ピン内に旋回エレメントを支承してある。
【０００５】
前記構成において支柱は安定的に形成され、ヘッドユニットの取り付けは安定的にかつ簡単に行われる。これによって大きな機器ケーシングを受容部エレメント上に取り付けることもできる。
【０００６】
操作が容易で機能の確実なかつ簡単な構造のために寄与する手段では、ピンは上方に向かって開いた、即ち上方の端面に開口する垂直なスリットを備えており、スリット内に、平面平行なプレート（表面と裏面との互いに平行なプレート）として形成された旋回エレメントが挿入されており、この場合に旋回エレメントの厚さはスリットの内法幅に適合されており、旋回軸はピンのスリットの領域でピン並びに旋回エレメントを、ピン及び旋回エレメント垂直に貫通しており、かつ旋回エレメントはピンの上方の端面を越えて突出している。
【０００７】
容易な操作及び確実な機能は、クランプ孔がピンに、それも旋回軸に対して平行に、かつスリット内へ挿入された旋回エレメントの領域でスリット内へ開口するように設けられていることによって助成されており、成形体は、手動作動可能なクランプレバーのねじ付きのクランプピンによって成形体に対して直角方向、即ち横方向に貫通されており、クランプピンは成形体に設けられたねじ部若しくは別個のねじ片内にねじ込まれていて、受容部エレメントの所望の傾斜位置の固定（ロック）のためにクランプピンの端面で以て旋回エレメントに対して締め付けられるようになっている。
【０００８】
さらに簡単かつ安定的な組み立てのために有利な実施態様では、ピンの上方の端面に若しくは端部区分の側面に、フランジ状若しくはリング状の固定片を取り付けてあり、固定片はピンの側面（周面）からつば状に突出しており、これによってピンは固定片を介して成形体の上方の端面に固定されている。
【０００９】
有利な構造では、固定片は成形体に溶接結合若しくはねじ結合されており、この場合に成形体の中空部内へのねじ結合のためには成形体の長手方向へ延びるねじ溝を設けてある。
【００１０】
安定的な構成における組み立ては、ねじ片を、成形体の中空部に設けられた長手方向へ延びる受容溝内にはめ込むことによってさらに助成される。
【００１１】
支柱を、ベース区分に取り付けられた外側成形体及び該外側成形体内にテレスコープ式にスライド可能に支承されて種々の位置で固定可能な内側成形体から構成してあり、かつ成形体を内側成形体によって形成してある場合には、互いに異なる使用目的のために互いに異なるヘッド部分を備えた互いに異なる種々の内側成形体を外側成形体内に容易に差し込んで使用することができる。これによって多様な組み立てを可能にすることができる。
【００１２】
さらに有利な実施態様では、外側成形体の内周輪郭は横断面で区分毎に、横断面の互いに異なる複数の内側成形体の外周輪郭に適合されており、これによって内側成形体は傾倒しないように、周方向で互いに離間する少なくとも３つの外周輪郭区分で以て長手方向にわたって平面的に、外側成形体の周方向で互いに離間する少なくとも３つの内周輪郭区分に支えられている。
【００１３】
次に本発明を図示の実施例に基づき詳細に説明する。
【００１４】
図１に示す高さ調節可能なスタンド脚（単にスタンドとも言う）は、一体構造の扁平な底部プレート１を有しており、底部プレートは底部プレート上の中央に設けられた垂直な支持部２を備えており、支持部２に外側成形体３を該外側成形体の、支持部２に適合された内周で以て差しはめて固定してある。外側成形体３は高さ調節可能な支柱（コラム）３０の構成部分であり、支柱はさらなる構成部分として、外側成形体３内に差し込まれてテレスコープ式に高さ調節可能な内側成形体４を有している。内側成形体４は上方の端部領域に設けられたヘッド部分７を備えており、ヘッド部分は、１つの水平軸を中心として傾斜可能なプレート状の受容部エレメント９を含んでいる。内側成形体４は、外側成形体３内で連続的に高さ調節されるようになっていて、所望の高さでクランプ機構によって固定（ロック）されるようになっており、クランプ機構は手動操作可能なクランプレバー５及び該クランプレバーによって縦軸線に対して直角方向に調節可能なクランプエレメントを有している。受容部エレメント９を所望の傾斜位置で固定するために、別のクランプレバー８を設けてある。プレート状の受容部エレメント９は固定孔９．１並びに、機器ケーシング若しくは支持プレートの取り付けのための別の固定孔を有している。
【００１５】
図２ａ、図２ｂ及び図２ｃに示してあるように、外側成形体３は横断面で異なる内周輪郭区分３．１，３．２を有しており、内周輪郭区分はそれぞれ部分的に内側成形体４の種々の外周輪郭区分４．１，４．２に適合されていて、内側成形体４を側方から少なくとも３つの側で支えており、これによって内側成形体は傾倒することなく縦方向（長手方向）で安定的にスライド可能に案内されており、内周輪郭区分３．１，３．２とこれに相補的な外周輪郭区分４．１，４．２とは縦方向での平面的な案内区分を成しており、それというのは外側成形体の横断面は全長にわたって変わっていないからである。
【００１６】
図２ａの実施例において外側成形体３の内周輪郭は、湾曲形の内周輪郭区分３．１並びに角形の内周輪郭区分３．２を有しており、この場合に、湾曲形の内周輪郭区分３．１は互いに離隔して１つの円周上に位置していて、横断面ほぼ円形の内側成形体４の相応の１つの円周上に位置する湾曲形の外周輪郭区分４．１を取り囲んでおり、これによって外側成形体３内での内側成形体４の全周的に傾倒のない安定的な支えが達成されている。例えば大きな４つ及び小さな２つの内周輪郭区分３．１を設けてあり、該内周輪郭区分は傾倒のない安定的な支えを保証するために内側成形体４の周りに１８０°よりも広い範囲にわたって分配されている。内側成形体４は、相対する２つの縦側だけを面取りされており、かつ内部に設けられて縦方向に延びるねじ溝４．３を有し、内側成形体の端面にヘッド部分７の組み立て部材を組み付けできるようになっている。該実施例では内側成形体４は、鉛直軸線若しくは縦軸線（長手方向に延びる軸線）を中心として外側成形体３内で回動可能である。鉛直軸線を中心とした回動を防止したい場合には、図４に示すように、内側成形体４内に横ピン４．４を設けてあり、横ピンは内側成形体４を貫いて案内されていて、例えば両側で内側成形体４の外周面を越えて突出しかつ保持溝３．４内に突入しており、保持溝は外側成形体３の内周面に形成されている。
【００１７】
図２ｂに示してあるように、内側成形体４として横断面円形の単純な管成形体を用いてあり、該管成形体は外周輪郭区分４．１で図２ａの内側成形体４と同様に、湾曲形の内周輪郭区分３．１によって支持されて傾倒することなく滑動可能に案内されている。該実施例並びに図２ａの実施例においても、図４に示してあるように横ピン４．４から成る回動防止手段を設けてあってよい。
【００１８】
図２ｃの実施例では、外側成形体３内にほぼ正方形の内側成形体４を差し込んであり、この場合には、外側成形体３の内周輪郭に形成された４つの角形の内周輪郭区分３．２が、内側成形体４の角隅領域を取り囲むことによって内側成形体４の傾倒のない安定的なかつ滑動可能な案内支承に役立っている。外側成形体３内には、横断面の四角形、三角形若しくはほかの多角形の内側成形体４を受容して案内するために、相応の角形の内周輪郭区分を形成してあってよい。
【００１９】
湾曲形の内周輪郭区分３．１は必ずしも、円弧形に形成されて１つの円上に位置している必要はなく、例えば横断面楕円形の内側成形体に適合されていてよい。
【００２０】
図３及び図４並びに図２ａ乃至図２ｃに示してあるように、外側成形体３の内周輪郭にはさらに、有利にはＴ字形のクランプ溝３．３を形成してあり、クランプ溝は内部に向けて設けられた開口部を備えており、クランプ溝内には、所望の高さ位置での内側成形体４の固定のためのクランプ機構のクランプエレメント６を差し込んである。クランプエレメント６はクランププレート区分６．１で以てクランプ溝３．３内に位置していて、かつクランプ溝３．３内を滑り落ちないように、外側へ突出する保持用突起部６．２で以て外側成形体３の上方の端面に保持されている。クランプエレメント６のクランププレート区分６．１に設けられた保持孔６．３の領域で、外側成形体３に直角方向若しくは横方向へ延びるねじ孔３．５を設けてあり、ねじ孔内にクランプレバー５のねじピン５．１をねじ込んであり、ねじピンは直径の減少された端部区分で以て保持孔６．３内に突入していてかつ、ねじピン５．１の輪縁状（フランジ状）の段部で以てクランププレート区分６．１の外面に当接しており、従ってクランプエレメント６はねじピン５．１のねじ込みに際して内側へ調節（移動）されて、内側成形体４を外側成形体３内に締め付けるようになっている。
【００２１】
図５に示す構成では、内側成形体４はガスばね１０を介してベース部分に支えられており、従って、受容部エレメント９並びに受容部エレメント上に載せられた対象物若しくは機器と一緒に内側成形体４の持ち上げを容易に行うことができる。ガスばね１０は少なくとも１つの固定ボルト１１を用いて中空の内側成形体４内に固定され、かつ他方で別の少なくとも１つの固定ボルト１２を用いて中空の支持部２内に固定されており、これによって組み立てを簡単に達成することができる。外側成形体３も下方の端面で底部プレート１に支えられていて、かつ簡単な形式で固定ボルト若しくはねじを用いて支持部２に固定されていてよい。
【００２２】
図６は、内側成形体４の上方の区分及び該区分内に差し込み可能なヘッド部分若しくはヘッドユニット７を詳細に示しており、ここではヘッドユニット７は外されている。ヘッドユニット７は、例えばプレート状の受容部エレメント９の傾き調節のための調節ユニット２０を有している。調節ユニット２０は、受容部エレメント９の下側に配置された垂直なピン２１を有しており、ピン２１は内側成形体４の中空部内にできるだけ遊びなく差し込まれるようになっており、この場合に内側成形体４の中空部には内側へ突出する保持リブを設けてあり、保持リブはピン２１の外周面を支えるようになっている。内側成形体４の中空部内へ突出する前記リブ間には、内側成形体の上方の端面に開口するすでに述べたねじ溝４．３も設けてある。さらに内側成形体４の中空部には、箱形ナットの形状のねじ片８．２の差し込みのために縦方向に延びる少なくとも１つの受容溝４．５を形成してある。
【００２３】
特に図７から明らかなように、例えば円柱状のピン２１は直径領域に、上端面に開口する１つのスリット２６を備えており、スリット内に平面平行なプレートとして形成された旋回エレメント２３を差し込んであり、旋回エレメントは水平な旋回軸２４を中心として旋回可能である。旋回エレメント２３の厚さは、同じく平面平行な側壁面によって画成されたスリット２６の内法幅に適合されており、従って旋回エレメント２３は容易にかつ遊びなく旋回させられる。旋回軸２４は、プレート状の旋回エレメント２３に対して垂直にピン２１及び旋回エレメント２３を貫通して案内されている。旋回エレメント２３は上方へピン２１を越えて突出していて、旋回エレメント自体の上側に固定された受容部エレメント９を保持しており、その結果、受容部エレメントは旋回エレメント２３と一緒に傾動可能である。
【００２４】
プレート状の旋回エレメント２３の領域でピン２１内にそれも旋回軸２４に対して平行にクランプ孔２５を設けてあり、クランプ孔内にクランプレバー８のクランプピン８．１を突入させるようになっており、この場合にねじを備えたクランプピン８．１は、受容溝４．５内に挿入されたねじ片８．２内で移動調節可能であり、これによってクランプピン８．１の端面は所望の傾斜位置での固定（ロック）のために旋回エレメント２３に固く締め付けられるようになっている。このような構成によって所望の傾斜位置での旋回エレメント２３、ひいては受容部エレメント９の固定のための簡単かつ確実なクランプ機構を達成することができる。
【００２５】
ヘッド部分若しくはヘッドユニット７は、固定片２２を用いて例えばねじ若しくは溶接によって内側成形体４の端面に取り付けられる。このために固定片２２はプレート状若しくはリング状に形成されていて、ピン２１の上方の端部区分若しくは端面に固定され、かつピンの外周を越えて突出している。ねじ固定のために固定片２２は、ねじ溝４．３と合致する孔を備えていて、従ってねじ溝４．３内へねじ込み可能なねじを用いて内側成形体４に安定的に結合可能である。さらに固定ねじ１３を設けてあり、固定ねじは受容部エレメント９上への機器ケーシング若しくは支持プレートの固定のために固定孔９．１内にねじ込まれるようになっている。
【図面の簡単な説明】
【００２６】
【図１】高さ調節可能な支柱を備えるスタンド脚の斜視図。
【図２ａ】図１の支柱の実施例の横断面図。
【図２ｂ】図１の支柱の別の実施例の横断面図。
【図２ｃ】図１の支柱のさらに別の実施例の横断面図。
【図３】支柱のクランプ部分の分解斜視図。
【図４】支柱のクランプ部分の横断面図。
【図５】ガスばねを備えた支柱の分解斜視図。
【図６】ヘッドユニットの組み付け前の状態での斜視図。
【図７】図６のヘッドユニットの異なる方向からの斜視図。
【符号の説明】
【００２７】
１  底部プレート、  ２  支持部、  ３  外側成形体、  ３．１，３．２  内周輪郭区分、  ３．３  クランプ溝、  ３．４  保持溝、  ３．５  ねじ孔、  ４  内側成形体、  ４．１，４．２  外周輪郭区分、  ４．３  ねじ溝、  ４．４  横ピン、  ４．５  受容溝、  ５  クランプレバー、  ５．１  ねじピン、  ６  クランプエレメント、  ６．１  クランププレート区分、  ６．２  保持用突起部、  ６．３  保持孔、  ７  ヘッド部分、  ８  クランプレバー、  ８．１  クランプピン、  ８．２  ねじ片、  ９  受容部エレメント、  ９．１  固定孔、  １０  ガスばね、  １１，１２  固定ボルト、  １３  固定ねじ、  ２０  調節ユニット、  ２１  ピン、  ２２  固定片、  ２３  旋回エレメント、  ２４  旋回軸、  ２５  クランプ孔、  ２６  スリット、  ３０  支柱
【図１】
2006509174.tif 000003
2006509174.tif 000004
【図３】
2006509174.tif 000005
【図４】
2006509174.tif 000006
【図５】
2006509174.tif 000007
【図６】
2006509174.tif 000008
【図７】
2006509174.tif 000009
【国際調査報告】
2006509174.tif 000010
2006509174.tif 000011
2006509174.tif 000012
2006509174.tif 000013
2006509174.tif 000014
2006509174.tif 000015